(57)【要約】【課題】他の吸収性物品や下着に取り付けて用いた場合にズレ止め効果が発揮され、しかも、他の吸収性物品や下着から簡単に取り外すことができる吸収性物品を提供する。【解決手段】トップシートとバックシートとこれらの間に配された吸収性コアとを有し、バックシートの外側面に留め具１１が設けられた吸収性物品であって、留め具１１は、基材１２と、基材１２の外側面に配された複数の係合部１３とを有し、係合部１３は茎部１４と頭部１５とを有しており、頭部１５が、頂部に向かって幅が直線的に拡大するように形成された下側頭部１５Ｌと、頂部に向かって幅が直線的に減少するように形成され、頂部が平らに形成された上側頭部１５Ｕとを有している。【選択図】図２
2014209992.tif 000002
【特許請求の範囲】
【請求項１】
トップシートとバックシートとこれらの間に配された吸収性コアとを有し、前記バックシートの外側面に留め具が設けられた吸収性物品であって、
前記留め具は、基材と、前記基材の外側面に配された複数の係合部とを有し、
前記係合部は茎部と頭部とを有しており、前記頭部が、頂部に向かって幅が直線的に拡大するように形成された下側頭部と、頂部に向かって幅が直線的に減少するように形成され、頂部が平らに形成された上側頭部とを有していることを特徴とする吸収性物品。
【請求項２】
前記係合部の高さ（Ｈ）に対する前記頭部の高さ（ＨH）の比ＨH／Ｈが０．２以上０．６以下であり、
前記頭部の高さ（ＨH）に対する前記上側頭部の高さ（ＨUH）の比ＨUH／ＨHおよび前記頭部の高さ（ＨH）に対する前記下側頭部の高さ（ＨLH）の比ＨLH／ＨHが、それぞれ０．３以上０．７以下である請求項１に記載の吸収性物品。
【請求項３】
前記茎部が、頂部に向かって幅が拡大しないように形成されている請求項１または２に記載の吸収性物品。
【請求項４】
前記係合部の茎部と頭部の境界の幅（ＷS-H）に対する前記係合部の基部の幅（ＷB）の比ＷB／ＷS-Hが１．０超３．０以下である請求項３に記載の吸収性物品。
【請求項５】
前記頭部の最大幅（ＷH）に対する前記係合部の茎部と頭部の境界の幅（ＷS-H）の比ＷS-H／ＷHが０．４以上０．９以下である請求項１〜４のいずれか一項に記載の吸収性物品。
【請求項６】
前記係合部の高さ（Ｈ）に対する前記頭部の最大幅（ＷH）の比ＷH／Ｈが０．３以上１．５以下である請求項１〜５のいずれか一項に記載の吸収性物品。
【請求項７】
前記係合部は、前記留め具に１６〜９００個／ｃｍ2の密度で設けられている請求項１〜６のいずれか一項に記載の吸収性物品。
【発明の詳細な説明】
【技術分野】
【０００１】
本発明は、尿パッド（失禁パッドを含む）、生理用ナプキン等の吸収性物品に関するものであり、特に、使い捨ておむつ等の他の吸収性物品やパンツ、ショーツ等の下着等に取り付けて好適に使用することができる吸収性物品に関するものである。
【背景技術】
【０００２】
従来、使い捨ておむつ等の他の吸収性物品やパンツ、ショーツ等の下着の内側面に取り付けて使用する吸収性物品であって、吸収性物品のバックシートに、他の吸収性物品や下着の内側面に吸収性物品を取り付けるための留め具が設けられたものが知られている。例えば、特許文献１，２に開示された吸収性物品には、バックシートに、きのこ形の係合部（フック部）を有する留め具が設けられている。
【先行技術文献】
【特許文献】
【０００３】
【特許文献１】特開２００３−２１０５２４号公報
【特許文献２】特開２００７−０４４１３９号公報
【発明の概要】
【発明が解決しようとする課題】
【０００４】
特許文献１，２に開示される吸収性物品は、他の吸収性物品や下着の内側面に取り付けると、バックシートに設けた留め具の係合部が他の吸収性物品や下着の内側面に強固に係合して、吸収性物品がずれたり脱落するのが防止される。しかし、留め具の係合部が他の吸収性物品や下着を構成する繊維等に引っ掛かって強固に係合するため、吸収性物品（留め具）を取り外す際に他の吸収性物品や下着を傷付けたり、他の吸収性物品や下着から吸収性物品を引き剥がすことが困難となって取り扱い性が低下するおそれがある。
【０００５】
本発明は前記事情に鑑みてなされたものであり、その目的は、他の吸収性物品や下着に取り付けて用いた場合にズレ止め効果が発揮され、しかも、他の吸収性物品や下着から簡単に取り外すことができる吸収性物品を提供することにある。
【課題を解決するための手段】
【０００６】
前記課題を解決することができた本発明の吸収性物品とは、トップシートとバックシートとこれらの間に配された吸収性コアとを有し、バックシートの外側面に留め具が設けられた吸収性物品であって、留め具は、基材と、基材の外側面に配された複数の係合部とを有し、係合部は茎部と頭部とを有しており、頭部が、頂部に向かって幅が直線的に拡大するように形成された下側頭部と、頂部に向かって幅が直線的に減少するように形成され、頂部が平らに形成された上側頭部とを有しているところに特徴を有する。本発明の吸収性物品は、このように形成された留め具がバックシートの外側面に設けられているため、他の吸収性物品や下着等に取り付けて用いた場合にズレ止め効果が発揮され、しかも、他の吸収性物品や下着から簡単に取り外すことができる。すなわち、留め具の係合部が、上側頭部が頂部に向かって幅が直線的に減少するように形成されているため、留め具を他の吸収性物品や下着等の係合対象部材に取り付ける際、係合部が係合対象部材を構成する繊維等の間隙に入り込みやすくなり、また係合部の頂部が平らに形成されていることと相まって、ズレ止め効果が好適に発揮されるようになる。一方、留め具を係合対象部材から取り外す際は、下側頭部が頂部に向かって幅が直線的に拡大するように形成されているため、係合部が係合対象部材を構成する繊維等に引っ掛かりにくくなり、留め具を係合対象部材から簡単に取り外すことができる。
【０００７】
係合部は、係合部の高さ（Ｈ）に対する頭部の高さ（ＨH）の比ＨH／Ｈが０．２以上０．６以下であり、頭部の高さ（ＨH）に対する上側頭部の高さ（ＨUH）の比ＨUH／ＨHおよび頭部の高さ（ＨH）に対する下側頭部の高さ（ＨLH）の比ＨLH／ＨHが、それぞれ０．３以上０．７以下であることが好ましい。係合部がこのように形成されていれば、留め具を係合対象部材に取り付けやすくなるとともに、留め具を係合対象部材から取り外しやすくなり、また留め具が係合対象部材に対して剪断方向にずれにくくなる。
【０００８】
係合部の茎部は、頂部に向かって幅が拡大しないように形成されていることが好ましい。さらに係合部は、係合部の茎部と頭部の境界の幅（ＷS-H）に対する基部の幅（ＷB）の比ＷB／ＷS-Hが１．０超３．０以下となるように形成されていることが好ましい。このように係合部の茎部が形成されていれば、留め具を係合対象部材に取り付けた際、係合部が係合対象部材の奥深くまで入り込みにくくなり、留め具を係合対象部材から取り外しやすくなる。
【０００９】
係合部は、頭部の最大幅（ＷH）に対する係合部の茎部と頭部の境界の幅（ＷS-H）の比ＷS-H／ＷHが０．４以上０．９以下であることが好ましい。また、係合部の高さ（Ｈ）に対する頭部の最大幅（ＷH）の比ＷH／Ｈが０．３以上１．５以下であることが好ましい。
【００１０】
係合部は、留め具に１６〜９００個／ｃｍ2の密度で設けられていることが好ましい。係合部がこのような密度で留め具に設けられていれば、留め具によるズレ防止効果が十分発揮されやすくなる。
【発明の効果】
【００１１】
本発明の吸収性物品は、バックシートの外側面に留め具が設けられ、留め具の係合部の頭部が、頂部に向かって幅が直線的に拡大するように形成された下側頭部と、頂部に向かって幅が直線的に減少するように形成され、頂部が平らに形成された上側頭部とを有しているため、吸収性物品を他の吸収性物品や下着に取り付けやすく、他の吸収性物品や下着に対するズレ防止効果を発揮できる。また、他の吸収性物品や下着から吸収性物品を取り外すのも簡単に行うことができる。
【図面の簡単な説明】
【００１２】
【図１】本発明の吸収性物品に設けられる留め具の例を表し、留め具の斜視図を表す。
【図２】図１に示した留め具の側面図を表す。
【図３】本発明の吸収性物品（失禁パッド）をバックシート側から見た平面図の一例を表す。
【図４】図３に示した吸収性物品のＡ−Ａ断面図を表す。
【図５】本発明の吸収性物品（失禁パッド）をバックシート側から見た平面図の他の一例を表す。
【図６】図５に示した吸収性物品のＢ−Ｂ断面図を表す。
【図７】実施例で比較対象として用いた留め具の側面図を表す。
【発明を実施するための形態】
【００１３】
本発明の吸収性物品は、トップシートとバックシートとこれらの間に配された吸収性コアとを有する。本発明の吸収性物品は、例えば、尿パッド（失禁パッドを含む）や生理用ナプキン等に適用できる。本発明の吸収性物品は、使い捨ておむつ等の他の吸収性物品やパンツ、ショーツ等の下着等に取り付けて好適に使用することができるものである。
【００１４】
吸収性物品は、長手方向と幅方向を有する。本発明において、吸収性物品の長手方向とは、吸収性物品を着用者が着用した際、着用者の股間の前後方向に延びる方向を意味する。吸収性物品の幅方向とは、吸収性物品を平面状に広げた状態で吸収性物品と同一面上にあり、長手方向と直交する方向を意味する。吸収性物品の内側面とは、吸収性物品を着用した際、着用者の肌に向く側の面を意味する。吸収性物品の外側面とは、吸収性物品を着用した際、着用者とは反対側を向く面を意味する。
【００１５】
トップシートは、吸収性物品の着用の際に着用者側に位置するシートであり、液透過性であることが好ましい。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルム等を用いてもよい。
【００１６】
バックシートは、吸収性物品の着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性とは撥水性の意味も含まれる。
【００１７】
トップシートやバックシートとして不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００１８】
吸収性コアは、尿等の排泄物を吸収できる吸収性材料を含むものであれば特に限定されない。吸収性コアとしては、例えば、吸収性材料を所定形状に成形した成形体を用いたり、あるいは吸収性材料を紙シート（例えば、ティッシュペーパーや薄葉紙）や液透過性不織布等のシート部材で覆ったものを用いることができる。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００１９】
吸収性コアの形状（平面形状）は特に限定されない。吸収性コアの形状は、用途に応じて適宜決定すればよく、例えば、略長方形、砂時計型、ひょうたん型、羽子板型等が挙げられる。
【００２０】
吸収性物品には、幅方向の両側に立ち上がりフラップが設けられてもよい。立ち上がりフラップは、例えば、吸収性物品の内側面に、吸収性コアの両側縁に沿って設けられてもよく、吸収性コアの幅方向両外側に設けられてもよい。立ち上がりフラップを設けることにより、尿等の排泄物の横漏れを防ぐことができる。立ち上がりフラップは、トップシートの幅方向両側に設けられたサイドシートの内方端が立ち上げられて、形成されてもよい。立ち上がりフラップおよびサイドシートは、液不透過性であることが好ましい。
【００２１】
吸収性物品には、バックシートの外側面に留め具が設けられている。留め具は、吸収性物品を別の物品に取り付けるための部材であり、留め具の外側面（すなわち、バックシートと反対側の面）に配された複数の係合部によって別の物品と係合可能に形成されている。本発明の吸収性物品は、バックシートに設けられた留め具により、使い捨ておむつ等の他の吸収性物品の内側面やパンツ、ショーツ等の下着の内側面に取り付けた際に、吸収性物品がずれたり脱落するのを防止できる。以下、留め具の取り付け対象となる他の吸収性物品や下着等の構成部材を「係合対象部材」と称する場合がある。なお、係合対象部材としては、不織布、織布、編布等の布材料や、孔が形成されたプラスチックフィルム等が挙げられる。
【００２２】
ところで、従来、バックシートの外側面に設けられる留め具としてはフック・ループ・ファスナーのフック部材（雄部材）が知られており、フック部材は一般に係合部が錨形や鉤形やきのこ形を有している。しかし、このようなフック部材が設けられた留め具を他の吸収性物品や下着に取り付けると、フック部材が係合対象部材に引っ掛かって強固に係合し、吸収性物品（留め具）を取り外す際に係合対象部材を傷付けたり、他の吸収性物品や下着から吸収性物品を引き剥がすことが困難となるおそれがある。特に、使用済みの吸収性物品は、衛生上の点から手で直接触れる部分が限られるため、フック部材が係合対象部材に強固に係合していると、使用済みの吸収性物品を他の吸収性物品や下着から取り外す際の取り扱い性が低下する。
【００２３】
これに対し本発明の吸収性物品では、留め具の係合部が茎部と頭部とを有しており、頭部が、頂部に向かって断面幅が直線的に拡大するように形成された下側頭部と、頂部に向かって断面幅が直線的に減少するように形成され、頂部が平らに形成された上側頭部とを有している。係合部の詳細は後述する。本発明の吸収性物品はこのように留め具の係合部が形成されているため、留め具を他の吸収性物品や下着に取り付けても、留め具を取り外す際に係合部が係合対象部材に引っ掛かりにくくなり、吸収性物品を他の吸収性物品や下着から取り外すことが容易になる。留め具を他の吸収性物品や下着に取り付けた状態では、留め具の係合部に係合対象部材の剪断方向に対抗する力が作用し、ズレ防止効果が発揮されるようになる。つまり本発明の吸収性物品は、他の吸収性物品や下着に取り付けて使用する際は、他の吸収性物品や下着に対するズレ防止効果が働くのに対し、他の吸収性物品や下着からは簡単に取り外すことができるようになる。
【００２４】
留め具はプラスチックから構成されることが好ましく、接着剤等によりバックシートの外側面に固定される。留め具がプラスチックから構成されていれば、留め具に可撓性と使用上十分な強度が付与されやすくなり、留め具の取り扱い性が向上する。
【００２５】
留め具について、図面を参照しながら詳細に説明する。図１および図２には、本発明の吸収性物品に設けられる留め具の例を示した。図１は留め具の斜視図を表し、図２は図１に示した留め具の側面図を表す。
【００２６】
留め具１１は基材１２と係合部１３を有し、基材１２の内側面１２Iがバックシートに固定され、基材１２の外側面１２Eに複数の係合部１３が配されている。係合部１３は基材１２の外側面１２Eから突出して設けられ、係合部１３は、基材１２から突出する基点となる基部１３Bと、係合部１３の先端に相当する頂部１３Tを有する。なお係合部１３は、基部１３Bから頂部１３Tに至る方向を高さ方向と規定し、高さ方向と垂直な方向を幅方向と規定する。なお本発明において、幅方向の長さを単に「幅」と称する場合がある。
【００２７】
係合部１３は、茎部１４と頭部１５を有する。茎部１４は基部１３Bを含んで係合部１３の一部を構成し、頭部１５は頂部１３Tを含んで係合部１３の一部を構成する。頭部１５は茎部１４の上側（外側）に設けられ、頭部１５は係合部１３の頂部１３T側で幅広に（幅方向に膨らんで）形成される。
【００２８】
係合部１３の幅方向の断面形状は特に限定されず、円形、楕円形、長円形、多角形、不定形等が挙げられる。なお、ズレ防止効果がより発揮され、また係合対象部材からの取り外しが容易になる点から、係合部１３の幅方向の断面形状は、円形または正多角形であることが好ましく、円形であることがより好ましい。
【００２９】
頭部１５は、下側頭部１５Ｌと上側頭部１５Ｕを有する。下側頭部１５Ｌは頭部１５の基部１３B側の部分であり、茎部１４に隣接して設けられる。上側頭部１５Ｕは頭部１５の頂部１３T側の部分であり、頂部１３Tを含むように形成される。上側頭部１５Ｕは下側頭部１５Ｌに隣接して設けられることが好ましい。係合部１３は、下側頭部１５Ｌが頂部１３Tに向かって幅が直線的に拡大するように形成され、上側頭部１５Ｕが頂部１３Tに向かって幅が直線的に減少するように形成され、頂部１３Tが平らに形成されている。なお係合部１３の幅は、係合部１３を側面から見て定められ、頭部１５の幅が最大となる方向から係合部１３を見て、茎部１４および頭部１５の幅の変化を規定する。上側頭部１５Ｕまたは下側頭部１５Ｌが頂部１３Tに向かって幅が直線的に拡大または減少するように形成されているとは、係合部１３を側面から見た場合に、上側頭部１５Ｕまたは下側頭部１５Ｌの外縁が直線状に形成されていることを意味する。
【００３０】
本発明の吸収性物品は、留め具１１の係合部１３が、上側頭部１５Ｕが頂部１３Tに向かって幅が直線的に減少するように形成されているため、留め具１１を係合対象部材に取り付ける際、係合部１３が係合対象部材を構成する繊維等の間隙に入り込みやすくなる。一方、留め具１１を係合対象部材から取り外す際（すなわち、留め具１１を係合対象部材に取り付けた状態から係合部１３の高さ方向に係合対象部材から引き離す際）は、下側頭部１５Ｌが頂部１３Tに向かって幅が直線的に拡大するように形成されているため、係合部１３が係合対象部材を構成する繊維等に引っ掛かりにくく、留め具１１を係合対象部材から簡単に取り外すことができる。例えば従来、係合部の頭部の幅が曲線状に拡大または減少するように形成された留め具（フック部材）が知られているが、このような留め具では、係合部の頭部の幅が曲線状に拡大または減少するように形成されているため、留め具を係合対象部材に取り付ける際に、留め具を係合対象部材により強く押し当てる必要がある。また、一旦留め具が係合対象部材に取り付けられると、留め具が係合対象部材を構成する繊維等に引っ掛かって、係合対象部材から取り外す際により大きな剥離力を加えることが必要となる。しかし本発明のように、係合部１３の頭部１５の幅が直線状に拡大または減少するように形成されていると、留め具１１を係合対象部材に取り付けやすく、かつ取り外しも容易になる。
【００３１】
一方、留め具１１を係合対象部材に取り付けた状態では、留め具１１の剪断方向（すなわち係合部１３の幅方向）に対して留め具１１を動かそうとしても、係合部１３が係合対象部材を構成する繊維等の間隙に入り込んでいるため、留め具１１が係合対象部材に対してずれにくくなる。また、幅広に形成された頭部１５が、係合対象部材を構成する繊維等の間隙に引っ掛かることによって、留め具１１が剪断方向に対してずれにくくなる。さらに、係合部１３（上側頭部１５Ｕ）の頂部１３Tが平らに形成されているため、頂部１３Tと係合対象部材との間に摩擦力が働いて、係合部１３が剪断方向に対する抗力を発揮しやすくなる。また、頂部１３Tが平らに形成されていれば、使用者の肌に係合部１３が当たっても使用者が痛みを感じにくくなり、取り扱い性が良好となる。
【００３２】
茎部１４の形状（側面から見た形状）は特に限定されないが、茎部１４は頂部１３Tに向かって幅が拡大しないように形成されていることが好ましい。つまり茎部１４は、頂部１３Tに向かって幅が変わらないか、頂部１３Tに向かって幅が減少するように形成されることが好ましい。茎部１４は、頂部１３Tに向かって幅が変わらない部分と減少する部分との両方から構成されていてもよい。茎部１４が頂部１３Tに向かって幅が拡大しないように形成されていれば、係合部１３が茎部１４で（特に基部１３Bで）折れ曲がりにくくなり、係合部１３が剪断方向の力に対して十分対抗しやすくなる。より好ましくは、茎部１４は、頂部１３Tに向かって幅が減少するように形成される。茎部１４が頂部１３Tに向かって幅が減少するように形成されていれば、留め具１１を係合対象部材に取り付けた際、係合部１３が係合対象部材の奥深くまで入り込みにくくなり、留め具１１を係合対象部材から取り外しやすくなる。
【００３３】
係合部１３は、係合部１３の高さ（Ｈ）に対する頭部１５の高さ（ＨH）の比ＨH／Ｈが０．２以上であることが好ましく、０．３以上がより好ましく、また０．６以下であることが好ましく、０．５以下であることがより好ましい。係合部１３がこのように形成されていれば、留め具１１を係合対象部材から取り外しやすくなり、また留め具１１が係合対象部材に対して剪断方向にずれにくくなる。
【００３４】
係合部１３の頭部１５は、頭部１５の高さ（ＨH）に対する上側頭部１５Ｕの高さ（ＨUH）の比ＨUH／ＨHおよび頭部１５の高さ（ＨH）に対する下側頭部１５Ｌの高さ（ＨLH）の比ＨLH／ＨHが、それぞれ０．３以上０．７以下であることが好ましく、０．４以上０．６以下であることがより好ましい。係合部１３の頭部１５がこのように形成されていれば、留め具１１を係合対象部材に取り付けやすくなるとともに、留め具１１を係合対象部材から取り外しやすくなる。比ＨUH／ＨHおよび比ＨLH／ＨHの値は、互いに同一であっても異なっていてもよい。
【００３５】
係合部１３の頭部１５は、頭部１５の最大幅（ＷH）に対する係合部１３の茎部１４と頭部１５の境界の幅（ＷS-H）の比ＷS-H／ＷHが０．４以上であることが好ましく、０．５以上がより好ましく、０．６以上がさらに好ましく、また０．９以下が好ましく、０．８以下がより好ましい。なお頭部１５の最大幅（ＷH）とは、係合部１３を側面から見たときに頭部１５の最も幅広な部分の幅を意味し、頭部１５は例えば上側頭部１５Ｕと下側頭部１５Ｌの境界で頭部１５の最大幅をとる。係合部１３の頭部１５がこのように形成されていれば、留め具１１を係合対象部材から取り外しやすくなる。
【００３６】
係合部１３の頭部１５は、頭部１５の最大幅（ＷH）に対する頂部１３Tの幅（ＷT）の比ＷT／ＷHが０．４以上であることが好ましく、０．５以上がより好ましく、０．６以上がさらに好ましく、また０．９以下が好ましく、０．８以下がより好ましい。係合部１３の頭部１５がこのように形成されていれば、留め具１１を係合対象部材に取り付けやすくなる。
【００３７】
係合部１３の頭部１５は、係合部１３を側面から見て、上側頭部１５Ｕの外縁の傾斜角が３０°以上であることが好ましく、４０°以上がより好ましく、また８０°以下が好ましく、７０°以下がより好ましい。上側頭部１５Ｕがこのように形成されていれば、留め具１１を係合対象部材に取り付けやすくなる。一方、下側頭部１５Ｌの外縁の傾斜角は、１００°以上であることが好ましく、１１０°以上がより好ましく、また１５０°以下が好ましく、１４０°以下がより好ましい。下側頭部１５Ｌがこのように形成されていれば、留め具１１を係合対象部材から取り外しやすくなる。
【００３８】
係合部１３は、ズレ防止効果を高めるために、係合対象部材を構成する繊維等の間隙に入り込みやすく、剪断方向の力に対して好適に対抗できる形状を有していることが好ましい。この点から、係合部１３の高さ（Ｈ）と頭部１５の最大幅（ＷH）との比ＷH／Ｈは０．３以上であることが好ましく、０．５以上がより好ましく、０．７以上がさらに好ましく、また１．５以下であることが好ましく、１．４以下であることがより好ましく、１．３以下であることがさらに好ましい。比ＷH／Ｈが０．３以上であれば、係合部１３が高さ（Ｈ）に対してある程度の幅を有することとなり、係合部１３が剪断方向の力に対して十分対抗しやすくなる。比ＷH／Ｈが１．５以下であれば、係合部１３がある程度細長に形成されることとなり、係合部１３が係合対象部材を構成する繊維等の間隙に入り込みやすくなる。
【００３９】
係合部１３の茎部１４は、茎部１４は頂部１３Tに向かって幅が拡大しないように形成されていることが好ましいが、茎部１４は次のように形成されていることがより好ましい。すなわち、係合部１３の茎部１４は、係合部１３の茎部１４と頭部１５の境界の幅（ＷS-H）に対する基部１３Bの幅（ＷB）の比ＷB／ＷS-Hが１．０超であることが好ましく、１．１以上がより好ましく、１．２以上がさらに好ましく、また３．０以下が好ましく、２．５以下がより好ましく、２．０以下がさらに好ましい。係合部１３の茎部１４がこのように形成されていれば、留め具１１を係合対象部材に取り付けた際、係合部１３が係合対象部材の奥深くまで入り込みにくくなり、留め具１１を係合対象部材から取り外しやすくなる。
【００４０】
基部１３Bの幅（ＷB）は、頭部１５の最大幅（ＷH）と同じような幅で形成されることも好ましい。具体的には、頭部１５の最大幅（ＷH）に対する基部１３Bの幅（ＷB）の比ＷB／ＷHは、０．８以上であることが好ましく、０．９以上がより好ましく、また１．２以下が好ましく、１．１以下がより好ましい。このように係合部１３が形成されていれば、留め具１１の剪断方向に対するズレ止め効果が高まるとともに、留め具１１を係合対象部材から取り外しやすくなる。
【００４１】
係合部１３は、茎部１４と頭部１５の境界において、茎部１４の外縁と下側頭部１５Ｌの外縁とが１９０°〜２４０°（より好ましくは２００°〜２３０°）の角度で形成されていることが好ましい。係合部１３がこのように形成されていれば、留め具１１を係合対象部材から取り外しやすくなる。なお、茎部１４の外縁と下側頭部１５Ｌの外縁との角度は、係合部１３を側面から見て定められる。
【００４２】
係合部１３の大きさとしては、例えば、高さ（Ｈ）が０．１０ｍｍ〜１．００ｍｍ（より好ましくは０．２０ｍｍ〜０．７５ｍｍ）であることが好ましい。係合部１３がこのような高さで形成されていれば、係合部１３が係合対象部材の繊維等の間隙に入り込んで、ズレ防止効果が十分発揮されやすくなる。また、係合部１３が非常に小さく形成されるため、係合部１３に肌が触れても痛みを感じにくくなり、留め具１１の取り扱い性が向上する。
【００４３】
係合部１３は、留め具１１に１６〜９００個／ｃｍ2の密度（より好ましくは６４〜６２５個／ｃｍ2の密度）で設けられていることが好ましい。係合部１３がこのような密度で留め具１１に設けられていれば、留め具１１を係合対象部材に取り付けた際に、ズレ防止効果が十分発揮されやすくなる。
【００４４】
基材１２は、例えば、厚みが０．０１ｍｍ〜０．４０ｍｍ（より好ましくは０．０５〜０．３０ｍｍ）に形成されていることが好ましい。基材１２の厚みが０．０１ｍｍ以上であれば、基材１２が十分な強度を有しやすくなる。基材１２の厚みが０．４０ｍｍ以下であれば、基材１２が柔軟に形成されやすくなり、留め具１１を他の吸収性物品や下着等に取り付けた際に、着用者が留め具１１に対して違和感を覚えにくくなる。
【００４５】
次に、本発明の吸収性物品の構成例について、図３および図４を参照して説明する。なお、本発明は、図面に示された実施態様に限定されるものではない。図３は、吸収性物品として失禁パッドをバックシート側から見た平面図を表す。図４は、図３の吸収性物品のＡ−Ａ断面図を表す。なお図面では、矢印ｘが吸収性物品の幅方向、矢印ｙが吸収性物品の長手方向を表し、矢印ｘ，ｙにより形成される面に対して垂直方向が吸収性物品の上下方向ｚを表す。
【００４６】
吸収性物品１は、トップシート２とバックシート３とこれらの間に配された吸収性コア４とを有する。トップシート２は、着用者の肌に面するように配置され、尿等の排泄物を透過する。トップシート２を透過した排泄物は、吸収性コア４により収容される。
【００４７】
トップシート２と吸収性コア４との間には上側台紙５が設けられることが好ましく、バックシート３と吸収性コア４との間には下側台紙６が設けられることが好ましい。上側台紙５と下側台紙６は、尿等の体液の拡散性を向上させたり、吸収性物品１が型くずれしにくくするために設けられる。上側台紙５は液透過性であることが好ましく、下側台紙６は、液透過性であっても液不透過性であってもよい。上側台紙５と下側台紙６としては、ティッシュペーパーや薄葉紙、クレープ紙等を用いることができる。
【００４８】
バックシート３の外側面には留め具１１が設けられている。留め具１１は、バックシート３とは反対側の面に配された複数の係合部１３を有し、係合部１３は上記に説明したように形成されている。吸収性物品１は、留め具１１により他の吸収性物品や下着に取り付けることができ、留め具１１によるズレ止め効果が好適に発現するとともに、吸収性物品１（具体的には留め具１１）を他の吸収性物品や下着から簡単に取り外すことができる。
【００４９】
図３では、留め具１１は、吸収性物品１の長手方向ｙの両側に設けられている。このように留め具１１が設けられていれば、吸収性物品１の着用感が良好となる。すなわち、吸収性物品１は留め具１１が設けられた部分でやや剛性が高くなるが、留め具１１が吸収性物品１の長手方向ｙの両側に設けられていれば、着用者の股間（特に排尿部）に留め具１１が設けられた部分が位置しにくくなり、着用者が違和感を覚えにくくなる。好ましくは、留め具１１は、吸収性物品１を長手方向ｙに４分割したとき、両端の１／４の領域にそれぞれ設けられる。
【００５０】
図５および図６には、図３および図４に示した吸収性物品とは異なる実施態様の吸収性物品を示す。図５は、吸収性物品として失禁パッドをバックシート側から見た平面図を表し、図６は、図５の吸収性物品のＢ−Ｂ断面図を表す。なお、下記の説明において、上記実施態様と重複する部分の説明は省略する。
【００５１】
図５では、留め具１１は長手方向ｙに延在して設けられている。詳細には、留め具１１は、幅方向ｘよりも長手方向ｙに長くなるように設けられている。吸収性物品１は長手方向ｙに長く形成されているため、留め具１１が長手方向ｙに長くなるように設けられていれば、吸収性物品１を他の吸収性物品や下着に取り付けて着用する際に、吸収性物品１がずれたり歪んだりしにくくなる。また、吸収性物品１を着用している際に留め具１１の一部が係合対象部材から外れても、留め具１１が元の場所に再係合されやすくなる。好ましくは、留め具１１は、吸収性物品１の長手方向ｙの長さの２／３以上の長さ（より好ましくは３／４以上の長さであり、さらに好ましく４／５以上の長さ）にわたって、長手方向ｙに延在して設けられる。
【００５２】
留め具１１は、吸収性物品１の幅方向ｘの両側に設けられることが好ましい。すなわち、長手方向ｙに延在する留め具１１が、幅方向ｘの両側にそれぞれ設けられることが好ましい。留め具１１が吸収性物品１の幅方向ｘの両側に設けられれば、吸収性物品１は幅方向ｘへのズレ止め効果が向上する。また、吸収性物品１の幅方向の両側に設けられた留め具１１の一方が他の吸収性物品や下着から外れても、他方の留め具１１はそれにつられて外れにくくなるため、結果的に吸収性物品１を着用している状態で吸収性物品１が他の吸収性物品や下着から外れにくくなる。
【実施例】
【００５３】
以下に、実施例を示すことにより本発明を更に詳細に説明するが、本発明の範囲はこれらに限定されるものではない。
【００５４】
（１）試験方法
（１−１）１３５°剥離強さ試験
試験片として、１００ｍｍ×１５ｍｍの大きさに切り出した留め具を用意する。別に、基材としてスパンボンド不織布（旭化成繊維社製、エルタス（登録商標）ＰＡ３０１８）を１００ｍｍ×５０ｍｍの大きさに切り出し、同じ大きさの金属板に両面テープ（日東電工社製両面テープＮｏ．５００）で貼り付ける。留め具を、係合部が基材に対向するように基材上に載せ、その上を荷重２ｋｇｆのローラーを１往復させることにより、留め具を基材に貼り合わせる。留め具に５００ｇの重りを５秒間吊して剪断方向に力を加えた後、テンシロン引張試験機により１３５°の角度で剥離させて、係合力を測定する。５回の試験の平均値を１３５°剥離強さとして求める。
【００５５】
（１−２）１８０°剪断係合強さ試験
試験片として１２０ｍｍ×１５ｍｍの大きさに切り出した留め具を用意し、ステンレス板に貼り付ける。基材としてスパンボンド不織布（旭化成繊維社製、エルタス（登録商標）ＰＡ３０１８）を用意し、別のステンレス板に貼り付ける。留め具の係合部と基材とが対向するように、ステンレス板に貼り付けた留め具をステンレス板に貼り付けた基材に載せ、荷重２ｋｇｆのローラーを１往復させることにより、留め具を基材に貼り合わせる。ステンレス板をテンシロン引張試験機の上下の掴み具にそれぞれ固定し、１８０°剪断方向への力をかけて剪断力を測定する。なお、掴み具の移動速度は３００ｍｍ／分で行う。３回の試験の平均値を１８０°剪断係合強さとして求め、１．０Ｎ以上を合格とする。
【００５６】
（２）試験結果
試験片として、図２に示す側面形状を有する留め具Ａと、図７に示す側面形状を有する留め具Ｂを用意した。留め具Ａは本発明に係る留め具に相当し、留め具Ｂは市販の吸収性物品に取り付けられている留め具である。１８０°剪断係合強さを測定したところ、留め具Ａと留め具Ｂのいずれも１．０Ｎ以上であり、剪断方向に十分な係合力を発揮した。一方１３５°剥離強さは、留め具Ａが０．０３Ｎ、留め具Ｂが０．９４Ｎとなり、留め具Ａは留め具Ｂよりも簡単に剥離できる結果となった。
【符号の説明】
【００５７】
１：  吸収性物品（失禁パッド）
２：  トップシート
３：  バックシート
４：  吸収性コア
１１：  留め具
１２：  基材
１３：  係合部
１４：  茎部
１５：  頭部
１５Ｌ：  下側頭部
１５Ｕ：  上側頭部
【図１】
2014209992.tif 000003
【図２】
2014209992.tif 000004
【図３】
2014209992.tif 000005
【図４】
2014209992.tif 000006
【図５】
2014209992.tif 000007
【図６】
2014209992.tif 000008
【図７】
2014209992.tif 000009